(57)【要約】【課題】  グループ通話に参加している移動局によって呼び出された場合にのみ、グループ通話に参加していない移動局の途中参加が許容されるシステムにおいて、グループ通話に参加していない移動局がグループ通話への途中参加を要求することを可能とする。【解決手段】  本発明に係る移動局は、グループ通話に参加可能な移動局であって、自局が参加している前記グループ通話への途中参加を要求している移動局を示す移動局情報を受信する受信部と、前記受信部によって受信された前記移動局情報を表示する表示部と、前記表示部に表示された前記グループ通話への途中参加を要求している前記移動局に対して、該グループ通話への参加指示がされると、当該移動局を自局が参加している前記グループ通話に途中参加させる呼び出しメッセージを送信する送信部とを具備することを特徴とする。【選択図】  図１
2008011172.tif 000002
【特許請求の範囲】
【請求項１】
グループ通話に参加可能な移動局であって、
自局が参加している前記グループ通話への途中参加を要求している移動局を示す移動局情報を受信する受信部と、
前記受信部によって受信された前記移動局情報を表示する表示部と、
前記表示部に表示された前記グループ通話への途中参加を要求している前記移動局に対して、該グループ通話への参加指示がされると、当該移動局を自局が参加している前記グループ通話に途中参加させる呼び出しメッセージを送信する送信部とを具備することを特徴とする移動局。
【請求項２】
前記受信部によって前記移動局情報が受信された際に、前記グループ通話の通話データを送信する権利である送信権を取得する取得部を更に備えることを特徴とする請求項１に記載の移動局。
【請求項３】
前記表示部は、前記グループ通話のグループメンバーとして途中参加を要求している前記移動局が含まれる場合に、当該移動局に対応する移動局情報を表示することを特徴とする請求項１に記載の移動局。
【発明の詳細な説明】
【技術分野】
【０００１】
本発明は、グループ通話に参加可能な移動局に関する。
【背景技術】
【０００２】
従来、複数の移動局を含むグループ内で音声データなどが送受信されるグループ通話（例えば、ＰＴＴ；Ｐｕｓｈ−Ｔｏ−Ｔａｌｋ）が一般的に広く知られている。
【０００３】
かかるグループ通話を行う移動局は、発呼側の移動局のユーザによって任意に指定される。具体的には、発呼側の移動局のユーザによって指定された移動局（グループメンバー）のうち、発呼側の移動局からの呼び出しに応じた移動局と発呼側の移動局とによってグループ通話が行われる。
【０００４】
このようなグループ通話では、グループメンバーであれば、グループ通話に参加していない移動局であっても、グループ通話に途中参加することが出来る。
【０００５】
一方で、発呼側の移動局のユーザが特定のグループ内でのみグループ通話を行うことを意図しているような場合に、そのユーザが意図していない他のユーザ（移動局）（グループメンバー以外のユーザ）がグループ通話に途中参加することが許容されてしまうことは好ましくない。
【０００６】
また、グループ通話に参加していないユーザ（移動局）がグループメンバーであったとしても、途中参加してくるタイミングによっては、途中参加を拒みたくなる場合もある。
【０００７】
従って、グループ通話に参加している移動局が、グループ通話に参加していない移動局を呼び出した場合にのみ、グループ通話に参加していない移動局の途中参加を許容する枠組み（以下、途中参加枠組み）についても考えられている。
【０００８】
なお、グループ通話において、移動局の呼び出しには、ＳＩＰ（Ｓｅｓｓｉｏｎ  Ｉｎｉｔｉａｔｉｏｎ  Ｐｒｏｔｏｃｏｌ）が用いられている（例えば、非特許文献１）。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【０００９】
しかしながら、上述した途中参加枠組みでは、グループ通話に参加している移動局によって呼び出された場合にのみ、グループ通話に参加していない移動局の途中参加が許容される。すなわち、グループ通話に参加していない移動局が自発的にグループ通話に途中参加することができない。
【００１０】
例えば、発呼側の移動局によって呼び出されたにもかかわらず、その呼び出しに応答することができなかった移動局、すなわち、発呼側の移動局のユーザがグループ通話を行うことを意図して指定した移動局（グループメンバー）であっても、自発的にグループ通話に途中参加することができない。
【００１１】
そこで、本発明は、上述した課題を解決するためになされたものであり、グループ通話に参加している移動局によって呼び出された場合にのみ、グループ通話に参加していない移動局の途中参加が許容されるシステムにおいて、グループ通話に参加していない移動局がグループ通話への途中参加を要求することを可能とする移動局を提供することを目的とする。
【課題を解決するための手段】
【００１２】
本発明の第１の特徴は、グループ通話に参加可能な移動局であって、自局が参加している前記グループ通話への途中参加を要求している移動局を示す移動局情報を受信する受信部と、前記受信部によって受信された前記移動局情報を表示する表示部と、前記表示部に表示された前記グループ通話への途中参加を要求している前記移動局に対して、該グループ通話への参加指示がされると、当該移動局を自局が参加している前記グループ通話に途中参加させる呼び出しメッセージを送信する送信部とを具備することを特徴とする移動局であることを要旨とする。
【００１３】
かかる特徴によれば、移動局（要求側の移動局１００）からの途中参加の要求に応じて表示される移動局情報に基づいて、途中参加を認める指示をユーザが行った場合に、移動局（被要求側の移動局１００）は、途中参加を要求する移動局をグループ通話に途中参加させる呼び出しメッセージを送信する。したがって、グループ通話に参加していない移動局がグループ通話への途中参加を要求することができる。また、グループ通話に参加している移動局のユーザもそのときの状況により、途中参加を要求した移動局をグループ通話に途中参加させることができる。
【００１４】
本発明の第１の特徴において、前記受信部によって前記移動局情報が受信された際に、前記グループ通話の通話データを送信する権利である送信権を取得する取得部を更に備えてもよい。
【００１５】
かかる特徴によれば、移動局（要求側の移動局１００）からの途中参加の要求に応じて、途中参加を要求する移動局を示す移動局情報を受信する際に送信権を取得する。したがって、移動局（被要求側の移動局１００）のユーザは、グループ通話に参加している移動局のユーザと、途中参加を要求する移動局に途中参加を認めるか否かを直ちに相談することができるため、迅速に途中参加を認めるか否かの判断を行うことができる。
【００１６】
本発明の第１の特徴において、前記表示部は、前記グループ通話のグループメンバーとして途中参加を要求している前記移動局が含まれる場合に、当該移動局に対応する移動局情報を表示してもよい。
【００１７】
かかる特徴によれば、途中参加を要求する移動局がグループ通話のグループメンバーである場合のみ、途中参加を要求する移動局を示す移動局情報を表示部に表示することも可能である。この場合、移動局のユーザが、グループメンバー外の意図しない移動局からの途中参加の要求に応じて、途中参加を認めるか否かの判断を行う手間を軽減することができる。
【発明の効果】
【００１８】
本発明によれば、グループ通話に参加している移動局によって呼び出された場合にのみ、グループ通話に参加していない移動局の途中参加が許容されるシステムにおいて、グループ通話に参加していない移動局がグループ通話への途中参加を要求することを可能とする移動局を提供することができる。
【発明を実施するための最良の形態】
【００１９】
（本実施形態に係る通信システムの概略構成）
図１を参照し、本実施形態に係る通信システムの概略構成について説明する。
【００２０】
本明細書において、グループ通話とは、複数の移動局間で通話データを送受信するＰＴＴ（Ｐｕｓｈ−ｔｏ−Ｔａｌｋ）や、テレビ電話などを含むものとする。また、グループ通話の通話データとは、例えば、ＲＴＰ（Ｒｅａｌ−ｔｉｍｅ  Ｔｒａｎｓｐｏｒｔ  Ｐｒｏｔｏｃｏｌ）等を用いて転送されるユーザデータを示し、音声データのみならず、映像データを含んでもよい。
【００２１】
図１に示すように、本実施形態に係る通信システムは、基地局２００ａを含むパケット交換ＮＷ（ネットワーク）３００ａと、基地局２００ｂを含む回線交換ＮＷ（ネットワーク）３００ｂと、パケット交換ＮＷ３００ａに接続されたグループ通話サーバ４００とを有する。
【００２２】
本実施形態に係る複数の移動局１００（移動局１００ａ〜１００ｅ）は、基地局２００ａとパケット交換ＮＷ３００ａとを介してグループ通話サーバ４００に接続可能に構成されている。
【００２３】
また、本実施形態に係る複数の移動局１００（移動局１００ａ〜１００ｅ）は、基地局２００ｂと回線交換ＮＷ３００ｂとを介してＳＭＳ（Ｓｈｏｒｔ  Ｍｅｓｓａｇｅ  Ｓｅｒｖｉｃｅ）サーバ５００に接続可能に構成されている。
【００２４】
パケット交換ＮＷ３００ａに接続されたグループ通話サーバ４００は、複数の移動局１００間で通話データが送受信されるグループ通話を管理する。さらに、グループ通話サーバ４００は、ＳＩＰ（Ｓｅｓｓｉｏｎ  Ｉｎｉｔｉａｔｉｏｎ  Ｐｒｏｔｏｃｏｌ）に基づいて、複数の移動局１００間の呼制御を行う呼制御サーバの機能を備える。なお、呼制御サーバの機能は、グループ通話サーバ４００に接続された別のサーバとして構成されてもよい。
【００２５】
また、パケット交換ＮＷ３００ａでは、グループ通話サーバ４００を介して複数の移動局１００間でグループ通話が行われる。
【００２６】
かかるグループ通話を開始する際には、グループメンバーが指定される。ここで、グループメンバーとは、グループ通話を開始する際に、発呼側の移動局１００のユーザによって指定された他の複数の移動局１００を示す。
【００２７】
かかるグループ通話は、発呼側の移動局１００がグループメンバーを呼び出し、その呼び出しにグループメンバーが応答することによって、開始される。
【００２８】
なお、発呼側の移動局１００によって呼び出されるグループメンバーの移動局１００には、予め回線交換ＮＷ３００ｂに接続されたＳＭＳサーバ５００から、グループ通話サーバ４００への登録処理を要求する通知（ショートメッセージ）が行われる。当該通知に応じてグループ通話サーバ４００への登録処理（ＩＰアドレスの取得等）を行うことにより、グループメンバーは、発呼側の移動局１００からの呼び出しを受け、その呼び出しに応答することができる。
【００２９】
図１において、かかるグループ通話には、発呼側の移動局１００（例えば、移動局１００ａ）と、発呼側の移動局１００からの呼び出しに応答したグループメンバー（例えば、移動局１００ｂ、１００ｃ）とが参加している。
【００３０】
なお、かかるグループ通話は、発呼側の移動局１００からの呼び出しに応答しなかったグループメンバー（例えば、移動局１００ｄ）や、グループメンバーでない移動局１００（例えば、移動局１００ｅ）も、グループ通話に参加している移動局１００（例えば、移動局１００ａ）からの呼び出しをグループ通話開始後に受けることによって、途中参加可能に構成されている。
【００３１】
また、かかるグループ通話は、グループ通話に参加していない移動局１００がグループ通話に参加している移動局１００にグループ通話への途中参加を要求し、当該要求に応じてグループ通話に参加している移動局１００からの呼び出しを受けることによって途中参加することも可能に構成されている。
【００３２】
なお、グループ通話に参加していない移動局１００は、グループ通話への途中参加を要求する前提として、一の移動局１００に発呼する。その結果、一の移動局１００がグループ通話に参加していることをグループ通話サーバ４００から通知された場合にのみ、当該一の移動局１００に途中参加を要求する。
【００３３】
以下、本実施形態において、グループ通話に参加していない移動局１００が送信する一の移動局１００の識別子を含む発呼メッセージは、一の移動局１００を宛先として送信されるＳＩＰのＩＮＶＩＴＥメッセージ（呼設定メッセージ）である。
【００３４】
また、グループ通話に参加していない移動局１００がグループ通話への途中参加を要求する途中参加要求は、グループ通話サーバ４００を宛先として送信されるＳＩＰのＩＮＶＩＴＥメッセージ（呼設定メッセージ）である。
【００３５】
また、以下、本実施形態において、要求側の移動局１００とは、グループ通話に参加しておらず、グループ通話への途中参加を被要求側の移動局１００に要求する移動局１００として説明する。なお、要求側の移動局１００は、途中参加を要求する前提として、被要求側の移動局１００に対する呼設定メッセージ（ＩＮＶＩＴＥ）を送信し、被要求側の移動局１００がグループ通話に参加していることを確認する。
【００３６】
また、かかるグループ通話は、グループ通話に参加する移動局１００のいずれかに通話データを送信する権利である送信権が割り当てられる方式で行われるが、送信権を用いない全二重方向で行われてもよい。
【００３７】
以下、本実施形態では、移動局１００ａ、１００ｂ、１００ｃをグループ通話に参加している移動局、移動局１００ｄ、１００ｅを自発的にグループ通話への途中参加を要求する移動局として説明を行う。なお、移動局１００ｄは、グループメンバーに含まれるが、移動局１００ｅはグループメンバーに含まれていないものとする。
【００３８】
（グループ通話サーバの構成）
図２を参照し、グループ通話サーバ４００の構成について説明する。図２に示すように、グループ通話サーバ４００は、記憶部４１０と、通信部４２０と、制御部４３０とを備える。
【００３９】
また、以下、本発明との関連がある部分について主に説明する。したがって、グループ通話サーバ４００は、グループ通話サーバ４００としての機能を実現する上で必須な、図示しない或いは説明を省略した論理ブロック（電源部など）を備える場合があることに留意されたい。
【００４０】
記憶部４１０は、グループ通話を管理するための情報として、図３に示す情報を記憶する。記憶部４１０は、図３に示すように、参加メンバーリスト（ｐａｒｔｙ＿ｌｉｓｔ
）と、送信権割り当て情報と、グループメンバーリストとをグループ通話毎に関連付けて記憶する。
【００４１】
参加メンバーリストとは、グループ通話に参加している移動局１００（参加メンバー）の識別子のリストである。なお、参加メンバーリストは、グループ通話に参加している移動局１００のグループ通話からの離脱や、グループ通話に参加していない移動局の途中参加等により適宜更新される。
【００４２】
具体的には、グループ通話サーバ４００がグループ通話に参加している移動局１００からのＢＹＥを受信した場合に、参加メンバーリストから当該移動局１００の識別子が取り消される。また、グループ通話サーバ４００がグループ通話に移動局１００を途中参加させる呼び出しメッセージ（ＩＮＶＩＴＥ）に対応する応答メッセージ（２００  ＯＫ）を受信した場合に、参加メンバーリストに当該途中参加する移動局１００の識別子が登録される。
【００４３】
グループメンバーリストとは、上述のように、発呼側の移動局１００（例えば、移動局１００ａ）によって指定された移動局１００（例えば、移動局１００ｂ、１００ｃ、１００ｄ）であるグループメンバーの識別子のリストである。
【００４４】
送信権割り当て情報とは、後述する送信権割り当て部４３４によって通話データの送信権が割り当てられている移動局１００を管理する情報である。
【００４５】
通信部４２０は、移動局１００の呼制御に係るＳＩＰのメッセージ（ＩＮＶＩＴＥ、２００  ＯＫ、ＡＣＫ、ＩＮＦＯ、ＢＵＳＹなど）や、グループ通話の通話データを送受信する。
【００４６】
具体的には、通信部４２０は、上述のように、要求側の移動局１００（例えば、移動局１００ｅ）から、被要求側の移動局１００（例えば、移動局１００ａ）の識別子を含む被要求側の移動局１００宛の呼設定メッセージ（ＩＮＶＩＴＥ）を受信する。
【００４７】
通信部４２０は、制御部４３０の指示に基づいて、被要求側の移動局１００がグループ通話に参加していることを示す参加中メッセージを例えば通話中メッセージ（ＢＵＳＹ）のメッセージ・ボディに付与して要求側の移動局１００に送信する。
【００４８】
また、通信部４２０は、送信した参加中メッセージに応じて、被要求側の移動局１００が参加しているグループ通話への途中参加要求を示す、グループ通話サーバ４００宛の呼設定メッセージ(ＩＮＶＩＴＥ)を要求側の移動局１００から受信する。通信部４２０は、受信した途中参加要求を示す呼設定メッセージ(ＩＮＶＩＴＥ)に応じて、途中参加要求（ＩＮＦＯ）を被要求側の移動局１００に送信する。
【００４９】
また、通信部４２０は、途中参加要求（ＩＮＦＯ）に応じて、被要求側の移動局１００が参加しているグループ通話に要求側の移動局１００を参加させる呼び出しメッセージ（ＩＮＦＯ）を受信する。通信部４２０は、受信した呼び出しメッセージ（ＩＮＦＯ）に応じて、呼び出しメッセージ（ＩＮＶＩＴＥ）を要求側の移動局１００に送信する。
【００５０】
また、通信部４２０は、途中参加要求に対応する呼び出しメッセージ（ＩＮＶＩＴＥ）を要求側の移動局１００に送信する前に、要求側の移動局１００に途中参加の要求処理中であることを示す情報（Ｗａｉｔ）を参加要求中メッセージ（ＢＵＳＹ）のメッセージ・ボディに付与して送信する。
【００５１】
制御部４３０は、登録処理部４３１と、判定部４３２と、途中参加処理部４３３と、送信権割り当て部４３４とを論理ブロックとして備える。なお、これらの論理ブロックは、制御部４３０が所定のプログラムを実行することによって構成される。
【００５２】
登録処理部４３１は、要求側の移動局１００からの要求に応じて、グループ通話サーバ４００への登録処理（Ｒｅｇｉｓｔｒａｔｉｏｎ）を行う。ここで、登録処理とは、要求側の移動局１００がグループ通話サーバ４００へ電話番号やユーザＩＤ等を登録する処理やＩＰアドレスを取得する処理等である。
【００５３】
判定部４３２は、要求側の移動局１００からの被要求側の移動局１００宛の呼設定メッセージ（ＩＮＶＩＴＥ）に含まれる被要求側の移動局１００の識別子が記憶部４１０の参加メンバーリストに記憶されているか否かを判定する。
【００５４】
被要求側の移動局１００の識別子が記憶部４１０の参加メンバーリストに記憶されている場合、判定部４３２は、被要求側の移動局１００がグループ通話に参加していることを示す参加中メッセージを生成し、例えば通話中メッセージ（ＢＵＳＹ）のメッセージ・ボディに付与する。なお、生成された参加中メッセージには、被要求側の移動局１００が参加しているグループ通話の参加メンバーリストが含まれる。また、判定部４３２は、参加中メッセージがメッセージ・ボディに付与された通話中メッセージ（ＢＵＳＹ）を要求側の移動局１００に送信するよう通信部４２０に指示する。
【００５５】
一方、被要求側の移動局１００の識別子が記憶部４１０の参加メンバーリストに記憶されていない場合、すなわち被要求側の移動局１００がグループ通話を行っていない場合、判定部４３２は、要求側の移動局１００からの被要求側の移動局１００宛の呼設定メッセージ(ＩＮＶＩＴＥ)を被要求側の移動局１００に送信するよう通信部４２０に指示する。
【００５６】
また、判定部４３２は、被要求側の移動局１００の識別子が記憶部４１０の参加メンバーリストに記憶されている場合、要求側の移動局１００の識別子が同グループ通話のグループメンバーリストに記憶されているか否かを判定してもよい。
【００５７】
かかる場合、要求側の移動局１００の識別子が記憶部４１０のグループメンバーリストに記憶されていれば、上述のように、判定部４３２は、参加中メッセージがメッセージ・ボディに付与された通話中メッセージ（ＢＵＳＹ）を要求側の移動局１００に送信するよう通信部４２０に指示する。
【００５８】
一方、要求側の移動局１００の識別子が記憶部４１０のグループメンバーリストに記憶されていなければ、判定部４３２は、参加中メッセージがメッセージ・ボディに付与されていない通話中メッセージ（ＢＵＳＹ）を要求側の移動局１００に送信するよう通信部４２０に指示してもよい。
【００５９】
途中参加処理部４３３は、被要求側の移動局１００が参加しているグループ通話に要求側の移動局１００が途中参加するための処理を行う。
【００６０】
具体的には、通信部４２０によって要求側の移動局１００からの途中参加要求を示す呼設定メッセージ(ＩＮＶＩＴＥ)が受信された場合、途中参加要求（ＩＮＦＯ）を被要求側の移動局１００に送信するように通信部４２０に指示する。
【００６１】
また、途中参加処理部４３３は、通信部４２０によって被要求側の移動局１００からの呼び出しメッセージ（ＩＮＦＯ）が受信された場合、呼び出しメッセージ（ＩＮＶＩＴＥ）を要求側の移動局１００に送信するように通信部４２０に指示する。
【００６２】
また、途中参加処理部４３３は、通信部４２０によって呼び出しメッセージ（ＩＮＶＩＴＥ）に対応する応答メッセージ（２００  ＯＫ）が要求側の移動局１００から受信された場合、記憶部４１０に記憶されている参加メンバーリストに、要求側の移動局１００の識別子を追加する。
【００６３】
送信権割り当て部４３４は、グループ通話に参加している移動局１００間での通話データの送信権の割り当てを制御する。
【００６４】
具体的には、通常、送信権割り当て部４３４は、グループ通話に参加している移動局１００が通話データの送信権の割り当てを要求する場合、グループ通話に参加している他の移動局１００に送信権が割り当てられていなければ、要求元の移動局１００に送信権を割り当てる。
【００６５】
なお、送信権割り当て部４３４は、記憶部４１０に記憶されている送信権割り当て情報を参照し、通話データの送信権が他の移動局１００に割り当てられているか否かを判定する。ここで、記憶部４１０の送信権割り当て情報に移動局１００の識別子が登録されていない場合、送信権は割り当てられていない。
【００６６】
また、送信権割り当て部４３４は、記憶部４１０の送信権割り当て情報に要求元の移動局１００の識別子を登録することによって、当該移動局１００に送信権を割り当てる。
【００６７】
本実施形態では、送信権割り当て部４３４は、通信部４２０によって途中参加要求（ＩＮＦＯ）が被要求側の移動局１００に送信される際に、被要求側の移動局１００に上述の送信権を割り当てる。すなわち、送信権割り当て部４３４は、グループ通話に参加している他の移動局１００に送信権が割り当てられていても、被要求側の移動局１００に送信権を割り当てる。
【００６８】
具体的には、送信権割り当て部４３４は、記憶部４１０の送信権割り当て情報に他の移動局１００の識別子が登録されている場合、他の移動局１００の識別子を取り消して、被要求側の移動局１００の識別子を登録する。
【００６９】
そして、送信権割り当て部４３４は、新たに送信権が割り当てられた被要求側の移動局１００の識別子を含む送信権変更メッセージ（ＩＮＦＯ）を参加メンバーの各移動局１００に送信するように通信部４２０に指示する。
【００７０】
なお、送信権変更メッセージ（ＩＮＦＯ）とは、送信権を変更することを示すメッセージである。送信権変更メッセージ（ＩＮＦＯ）中に、自局の識別子が含まれている場合、自局に送信権が割り当てられ、他の移動局１００の識別子が含まれている場合、自局に割り当てられていた送信権も強制的に解放される。
【００７１】
（移動局の構成）
図４乃至６を参照し、本実施形態に係る通信システムにおいて用いられる移動局１００、特にグループ通話への途中参加を要求される被要求側の移動局１００（例えば、移動局１００ａ）の構成及びグループ通話への途中参加を要求する要求側の移動局１００（例えば、移動局１００ｅ）の構成について説明する。
【００７２】
また、移動局１００ａ〜１００ｅは、被要求側の移動局１００又は要求側の移動局１００として動作する場合、同様の構成を有するのは勿論のことである。
【００７３】
（１）概略ハードウェア構成
図４は、移動局１００の概略ハードウェア構成図である。図４に示すように、移動局１００は、アンテナ１０１と、パワーアンプ１０２と、ＲＦ／ＩＦ変換器１０３と、ベースバンドプロセッサ１０４と、コーデック部１０５と、音声入出力部１０６と、映像入出力部１０７と、メモリ１０８と、操作部１０９と、ＣＰＵ１１０（１１０−１，１１０−２）とを有する。
【００７４】
アンテナ１０１は、パケット交換ＮＷ３００ａと回線交換ＮＷ３００ｂとに接続された基地局２００ａ、２００ｂとの間で無線信号を送受信する。パワーアンプ１０２は、ＲＦ／ＩＦ変換器１０３から出力された無線信号を増幅する。
【００７５】
ＲＦ／ＩＦ変換器１０３は、無線周波数（ＲＦ）と中間周波数（ＩＦ）との変換を実行する。ベースバンドプロセッサ１０４は、所定の変調方式（ＰＳＫやＱＡＭなど）にした
がって、ベースバンド信号の変調などを実行する。
【００７６】
本実施形態では、ＲＦ／ＩＦ変換器１０３とベースバンドプロセッサ１０４とによって、ＳＩＰの各種メッセージ（ＩＮＶＩＴＥ、２００  ＯＫ、ＡＣＫ、ＩＮＦＯ、ＢＵＳＹ等）が、基地局２００ａ及びパケット交換ＮＷ３００ａを介してグループ通話サーバ４００と送受信される。
【００７７】
特に、本実施形態に係る被要求側の移動局１００として動作するＲＦ／ＩＦ変換器１０３とベースバンドプロセッサ１０４とによって、自局が参加しているグループ通話への途中参加を要求する途中参加要求（ＩＮＦＯ）が受信される。ここで、途中参加要求（ＩＮＦＯ）には、自局が参加しているグループ通話への途中参加を要求する移動局１００、すなわち上述の要求側の移動局１００を示す移動局情報が含まれている。
【００７８】
また、本実施形態に係る被要求側の移動局１００として動作するＲＦ／ＩＦ変換器１０３とベースバンドプロセッサ１０４とによって、要求側の移動局１００に対して、自局が参加しているグループ通話に要求側の移動局１００を途中参加させるための呼び出しメッセージ（ＩＮＦＯ）が送信される。
【００７９】
コーデック部１０５は、音声コーデック部１０５ａと映像コーデック部１０５ｂとを有
する。音声コーデック部１０５ａは、所定の音声符号化方式（例えば、ＥＶＲＣ）に基づいて音声信号の符号化及び復号を実行する。映像コーデック部１０５ｂは、所定の映像符
号化方式（例えば、ＭＰＥＧ−４）に基づいて映像信号の符号化及び復号を実行する。
【００８０】
音声入出力部１０６は、マイク１０６ａとスピーカ１０６ｂとを有する。音声入出力部
１０６は、音声コーデック部１０５ａと接続されている。
【００８１】
映像入出力部１０７は、カメラ１０７ａと表示部１０７ｂ（１０７ｂ−１，１０７ｂ−２）とを有する。映像入出力部１０７は、映像コーデック部１０５ｂと接続されている。以下、本実施形態に係る被要求側の移動局１００として動作する表示部１０７ｂを表示部１０７ｂ−１、要求側の移動局１００として動作する表示部１０７ｂを表示部１０７ｂ−２とする。
【００８２】
本実施形態に係る被要求側の移動局１００として動作する表示部１０７ｂ−１は、ＣＰＵ１１０の指示に基づいて、ＲＦ／ＩＦ変換器１０３とベースバンドプロセッサ１０４とによって受信された上述の要求側の移動局１００（例えば、移動局１００ｅ）を示す移動局情報を表示する。
【００８３】
なお、本実施形態に係る被要求側の移動局１００として動作する表示部１０７ｂ−１は、ＣＰＵ１１０の指示に基づいて、例えば、図６（ａ）に示すように、上述の移動局情報とともに、要求側の移動局１００をグループ通話に途中参加させるか否かをユーザに判断させるための情報を表示する。
【００８４】
また、本実施形態に係る被要求側の移動局１００として動作する表示部１０７ｂ−１は、図６（ｂ）に示すように、ＣＰＵ１１０の指示に基づいて、上述のグループメンバーでない移動局１００からの途中参加要求（ＩＮＦＯ）を拒否するか否かをユーザに選択させるための情報を表示してもよい。
【００８５】
一方、本実施形態に係る要求側の移動局１００として動作する表示部１０７ｂ−２は、図６（ｃ）に示すように、ＣＰＵ１１０の指示に基づいて、被要求側の移動局１００が参加しているグループ通話への途中参加を要求するか否かをユーザに判断させるための情報を表示する。
【００８６】
メモリ１０８は、ＣＰＵ１１０において実行される各種のプログラムや、ユーザによって登録された情報などを記憶する。また、本実施形態では、メモリ１０８は、自局に送信権が割り当てられているか否かが識別可能な情報をメモリ１０８に記憶する。例えば、メモリ１０８には、「送信権ステータス」として、自局に送信権が割り当てられている場合「ＯＮ」が登録され、自局に送信権が割り当てられていない場合「ＯＦＦ」が登録されてもよい。
【００８７】
操作部１０９は、文字や数字などを入力する入力キー、通話を開始するための発呼キー、着呼（呼び出し）に応答するための応答キーなどによって構成されたキー群である。また、操作部１０９は、各キーが押下されると、押下されたキーに対応する信号をＣＰＵ１１０に入力する。
【００８８】
ＣＰＵ１１０は、ベースバンドプロセッサ１０４、コーデック部１０５、映像入出力部
１０７、メモリ１０８及び操作部１０９の各ブロックと接続されている。ＣＰＵ１１０は、メモリ１０８に記憶されているプログラムを実行することによって、当該ブロックとのデータの送受信や、当該ブロックの制御を実行する。以下、本実施形態に係る被要求側の移動局１００として動作するＣＰＵ１００をＣＰＵ１００−１、要求側の移動局１００として動作するＣＰＵ１００をＣＰＵ１００−２とする。
【００８９】
（２−１）論理ブロック構成（被要求側の移動局１００）
図５（ａ）は、被要求側の移動局１００として動作するＣＰＵ１１０−１が所定のプログラムを実行することによって実現される論理ブロックの構成を示す。図５（ａ）に示すように、ＣＰＵ１１０−１が所定のプログラムを実行することによって、途中参加要求取得部１１１１と、送信権取得部１１１２と、グループ通話処理部１１１３と、呼び出し処理部１１１４とが構成される。
【００９０】
途中参加要求取得部１１１１は、グループ通話サーバ４００から送信された途中参加要求（ＩＮＦＯ）に基づいて、図６（ａ）に示す表示情報を表示部１０７ｂ−１に表示させる。
【００９１】
なお、図６（ｂ）に示す表示画面において、予めユーザからグループメンバーでない移動局１００からの途中参加要求（ＩＮＦＯ）を拒否する設定を受け付けていた場合、途中参加要求取得部１１１１は、要求側の移動局１００が上述のグループメンバーである場合のみ、途中参加要求（ＩＮＦＯ）に基づいて、図６（ａ）に示す表示情報を表示部１０７ｂ−１に表示させてもよい。
【００９２】
かかる場合、途中参加要求取得部１１１１は、要求側の移動局１００が上述のグループメンバーでない場合、途中参加要求（ＩＮＦＯ）が受信されても、図６（ａ）に示す表示情報を表示部１０７ｂ−１に表示させずに、要求側の移動局１００に対してグループ通話への途中参加を拒否された旨を通知させてもよい。
【００９３】
送信権取得部１１１２は、グループ通話サーバ４００を介して要求側の移動局１００から送信された途中参加要求（ＩＮＦＯ）が受信された際に、グループ通話の通話データを送信する権利である送信権を取得する。
【００９４】
具体的には、通話データの送信権は、グループ通話サーバ４００が要求側の移動局１００から受信した途中参加要求を示す呼設定メッセージ(ＩＮＶＩＴＥ)に応じて途中参加要求（ＩＮＦＯ）を被要求側の移動局１００に送信する際に、グループ通話サーバ４００によって被要求側の移動局１００に割り当てられる。送信権取得部１１１２は、グループ通話サーバ４００から送信権が割り当てられたことを示す送信権変更メッセージ（ＩＮＦＯ）を取得する。
【００９５】
また、送信権取得部１１１２は、送信権変更メッセージ（ＩＮＦＯ）を取得した場合、メモリ１０８に記憶されている自局に送信権が割り当てられていることが識別可能な情報である「送信権ステータス」を送信権が割り当てられていることを示す「ＯＮ」に更新する。なお、送信権取得部１１１２は、送信権変更メッセージ（ＩＮＦＯ）を取得したことを表示又は音声によりユーザに通知しても良い。
【００９６】
なお、送信権取得部１１１２は、グループ通話サーバ４００から送信権が取り消された場合、「送信権ステータス」を「ＯＦＦ」に更新する。
【００９７】
グループ通話処理部１１１３は、メモリ１０８に記憶されている「送信権ステータス」が「ＯＮ」に更新されると、マイク１０６ａから入力された音声信号を音声コーデック部１０５ａによって符号化し、通話データとして送信するように制御する。
【００９８】
呼び出し処理部１１１４は、図６（ａ）に示す表示画面におけるユーザの操作に基づいて、自局が参加しているグループ通話に要求側の移動局１００を途中参加させる呼び出しメッセージ（ＩＮＦＯ）を生成する。また、呼び出し処理部１１１４は、生成した呼び出しメッセージ（ＩＮＦＯ）をベースバンドプロセッサ１０４に入力し、グループ通話サーバ４００に送信するように制御する。
【００９９】
（２−２）論理ブロック構成（要求側の移動局１００）
図５（ｂ）は、要求側の移動局１００として動作するＣＰＵ１１０−２が所定のプログラムを実行することによって実現される論理ブロックの構成を示す。図５（ｂ）に示すように、ＣＰＵ１１０―２が所定のプログラムを実行することによって、呼設定メッセージ処理部２１１１と、途中参加要求処理部２１１２と、呼び出し処理部２１１３とが構成される。
【０１００】
呼設定メッセージ処理部２１１１は、ユーザの操作に基づいて、グループ通話サーバ４００への登録処理を行い、被要求側の移動局１００宛の呼設定メッセージ（ＩＮＶＩＴＥ）を生成する。また、呼設定メッセージ処理部２１１１は、生成した呼設定メッセージ（ＩＮＶＩＴＥ）をベースバンドプロセッサ１０４に入力し、グループ通話サーバ４００に送信するように制御する。
【０１０１】
また、呼設定メッセージ処理部２１１１は、グループ通話サーバ４００から送信された通話中メッセージ（ＢＵＳＹ）に基づいて、例えば、図６（ｃ）に示す表示情報を表示部１０７ｂ−２に表示させる。なお、上述のように、通話中メッセージ（ＢＵＳＹ）のメッセージ・ボディには、被要求側の移動局１００がグループ通話に参加していることを示す参加中メッセージが付与されている。
【０１０２】
途中参加要求処理部２１１２は、図６（ｃ）に示す表示画面におけるユーザの操作に基づいて、被要求側の移動局１００が参加しているグループ通話への途中参加要求を示す呼設定メッセージ（ＩＮＶＩＴＥ）を生成する。また、途中参加要求処理部２１１２は、生成した途中参加要求を示す呼設定メッセージ（ＩＮＶＩＴＥ）をベースバンドプロセッサ１０４に入力し、グループ通話サーバ４００に送信するように制御する。
【０１０３】
呼び出し処理部２１１３は、グループ通話サーバ４００からの呼び出しメッセージ（ＩＮＶＩＴＥ）に含まれる参加メンバーリストが、上述の途中参加要求を示す呼設定メッセージ（ＩＮＶＩＴＥ）に含まれる参加メンバーリストと同一である場合、ユーザを呼び出さずに、自動的に応答メッセージ（２００  ＯＫ）をグループ通話サーバ４００に送信するように制御する。すなわち、呼び出し処理部２１１３は、ユーザを呼び出していることを示すメッセージ（１８０  Ｒｉｎｇｉｎｇ等）を送信せずに、応答メッセージ（２００  ＯＫ）を送信するように制御する。
【０１０４】
（本実施形態に係る通信システムの通信方法）
以下、図７乃至図１０を参照し、本実施形態に係る通信方法（パターン１〜２）について説明する。
【０１０５】
（１）パターン１
図７を参照し、要求側の移動局１００として移動局１００ｅが、被要求側の移動局１００である移動局１００ａにグループ通話への途中参加を要求することにより、グループ通話に途中参加する動作について説明する。
【０１０６】
図７に示すように、ステップＳ１０１において、移動局１００ａ〜１００ｃとが参加しているグループ通話が行われている。
【０１０７】
ステップＳ１０２において、移動局１００ｅは、ユーザの操作に基づいて、グループ通話サーバ４００に対して上述の登録処理を行う。
【０１０８】
ステップＳ１０３において、登録処理を完了した移動局１００ｅは、移動局１００ａ宛の呼設定メッセージ（ＩＮＶＩＴＥ）をグループ通話サーバ４００に送信する。かかる移動局１００ａ宛の呼設定メッセージ（ＩＮＶＩＴＥ）には、移動局１００ａの識別子が被要求側の情報として、移動局１００ｅの識別子が要求側の情報として含まれる。
【０１０９】
ステップＳ１０４において、グループ通話サーバ４００は、ステップＳ１０３で受信された呼設定メッセージ（ＩＮＶＩＴＥ）に被要求側の情報として含まれる移動局１００ａの識別子が記憶部４１０の参加メンバーリストに記憶されているか否かを判定する。
【０１１０】
移動局１００ａの識別子が記憶部４１０の参加メンバーリストに記憶されている場合、ステップＳ１０５において、グループ通話サーバ４００は、移動局１００ａがグループ通話に参加していることを示す参加中メッセージを通話中メッセージ（ＢＵＳＹ）のメッセージ・ボディに付与して移動局１００ｅに送信する。ここで、通話中メッセージ（ＢＵＳＹ）とは、移動局１００ａが通話中であることを示すＳＩＰのＢＵＳＹメッセージである。なお、参加中メッセージには、移動局１００ａが参加しているグループ通話の参加メンバーリスト（ｐａｒｔｙ＿ｌｉｓｔ）が含まれる。
【０１１１】
ステップＳ１０６において、移動局１００ｅは、ステップＳ１０５で受信した参加中メッセージに基づいて、例えば、図６（ｃ）に示す表示情報を表示する。
【０１１２】
図６（ｃ）に示す表示画面において、移動局１００ｅのユーザが「はい」を選択する操作を移動局１００ｅが受け付けた場合、ステップＳ１０７において、移動局１００ｅは、移動局１００ａが参加しているグループ通話への途中参加要求を示す呼設定メッセージ(ＩＮＶＩＴＥ)をグループ通話サーバ４００に送信する。
【０１１３】
なお、上述の途中参加要求を示す方法の一つとして、ステップＳ１０５で受信した参加メンバーリスト（ｐａｒｔｙ＿ｌｉｓｔ）を呼設定メッセージ（ＩＮＶＩＴＥ）のメッセージ・ボディに付与する方法がある。
【０１１４】
ステップＳ１０８において、グループ通話サーバ４００は、移動局１００ｅから受信した途中参加要求を示す呼設定メッセージ(ＩＮＶＩＴＥ)に応じて、途中参加要求（ＩＮＦＯ）を移動局１００ａに送信する。
【０１１５】
また、グループ通話サーバ４００は、ステップＳ１０５で通話中メッセージ（ＢＵＳＹ）を送信後、途中参加の要求を許容することができる所定時間内にＳ１０７の呼設定メッセージ(ＩＮＶＩＴＥ)を受信した場合にのみ、移動局１００ａに途中参加要求（ＩＮＦＯ）を送信するようにしてもよい。
【０１１６】
ステップＳ１０９において、移動局１００ａは、グループ通話サーバ４００から送信された途中参加要求（ＩＮＦＯ）を受信すると、応答メッセージ（２００  ＯＫ）をグループ通話サーバ４００に送信する。
【０１１７】
ステップＳ１１０において、移動局１００ａは、ステップＳ１０８で受信した途中参加要求（ＩＮＦＯ）に基づいて、例えば、図６（ａ）に示す表示情報を表示する。
【０１１８】
なお、図６（ｂ）に示す設定表示画面のように、グループメンバーでない移動局１００からの途中参加要求（ＩＮＦＯ）を拒否する設定を行えるようにしてもよい。これにより、移動局１００ａは、移動局１００ｅがグループメンバーである場合のみ、ステップＳ１０８で受信した途中参加要求（ＩＮＦＯ）に基づいて、図６（ａ）に示す表示情報を表示することができる。
【０１１９】
ステップＳ１１０で表示した図６（ａ）に示す表示画面において、移動局１００ａのユーザが「はい」を選択する操作を移動局１００ａが受け付けた場合、ステップＳ１１１において、移動局１００ａは、自局が参加するグループ通話に移動局１００ｅを途中参加させる呼び出しメッセージ（ＩＮＦＯ）をグループ通話サーバ４００に送信する。
【０１２０】
ステップＳ１１２において、グループ通話サーバ４００は、ステップＳ１１１の呼び出しメッセージ（ＩＮＦＯ）を受信すると、応答メッセージ（２００  ＯＫ）を移動局１００ａに送信する。
【０１２１】
ステップＳ１１３において、グループ通話サーバ４００は、ステップＳ１０７の呼設定メッセージ(ＩＮＶＩＴＥ)に応じて、移動局１００ｅに参加要求中メッセージ（ＢＵＳＹ）を送信する。例えば、参加要求中メッセージ（ＢＵＳＹ）のメッセージ・ボディには、途中参加の要求処理中であることを示す情報（Ｗａｉｔ）が付与されている。
【０１２２】
ステップＳ１１４において、グループ通話サーバ４００は、移動局１００ａから受信した呼び出しメッセージ（ＩＮＦＯ）に応じて、呼び出しメッセージ（ＩＮＶＩＴＥ）を移動局１００ｅに送信する。
【０１２３】
ステップＳ１１５において、移動局１００ｅは、ステップＳ１１４における、移動局１００ａからの呼び出しメッセージ（ＩＮＶＩＴＥ）の受信に応じて自動的に応答メッセージ（２００  ＯＫ）をグループ通話サーバ４００に送信する。かかる場合、移動局１００ｅは、呼び出しメッセージ（ＩＮＶＩＴＥ）を受信しても、ユーザの呼び出し中メッセージ（１８０  Ｒｉｎｇｉｎｇ）を送信することなく、応答メッセージ（２００  ＯＫ）をグループ通話サーバ４００に送信する。
【０１２４】
また、この自動応答の処理は、移動局１００ｅがステップＳ１１３の参加要求中メッセージを受信してから自動応答が許容される所定時間の間に、移動局１００ａからの指示に基づく呼び出しメッセージ（ＩＮＶＩＴＥ）を受信した場合に動作させるのが好ましい。
【０１２５】
また、ステップＳ１１５において移動局１００ｅから応答メッセージ（２００  ＯＫ）を受信したグループ通話サーバ４００は、記憶部４１０に記憶されている参加メンバーリストに移動局１００ｅの識別子を追加する。
【０１２６】
ステップＳ１１６において、グループ通話サーバ４００は、移動局１００ｅから受信した応答メッセージ（２００  ＯＫ）を正しく受信したことを示すＡＣＫを移動局１００ｅに送信する。
【０１２７】
ステップＳ１１７、Ｓ１１９、Ｓ１２１、Ｓ１２２において、グループ通話サーバ４００は、移動局１００ｅがグループ通話に参加したことによるグループ通話の状態変更を状態変更メッセージ（ＩＮＦＯ）として参加メンバーの移動局１００ａ、１００ｂ、１００ｃ、１００ｅに送信する。ここで、状態変更メッセージ（ＩＮＦＯ）のメッセージ・ボディには、移動局１００ａ、移動局１００ｂ、移動局１００ｃ、移動局１００ｅの識別子を含む参加メンバーリスト（ｐａｒｔｙ＿ｌｉｓｔ）が付与される。
【０１２８】
ステップＳ１１８、Ｓ１２０、Ｓ１２３、Ｓ１２４において、参加メンバーの移動局１００ａ、１００ｂ、１００ｃ、１００ｅは、ステップＳ１１７、Ｓ１１９、Ｓ１２１、Ｓ１２２の状態変更メッセージ（ＩＮＦＯ）に応じて応答メッセージ（２００  ＯＫ）をグループ通話サーバ４００に送信する。
【０１２９】
ステップＳ１２５において、移動局１００ａ〜１００ｃ、移動局１００ｅが参加するグループ通話が行われる。
【０１３０】
なお、上述の実施例において、要求側の移動局１００が上述のグループメンバーに含まれている場合のみ、グループ通話への途中参加を要求可能とすることも可能である。例えば、要求側の移動局１００が被要求側の移動局１００ａの参加するグループ通話のグループメンバーに含まれている移動局１００（例えば、移動局１００ｄ）である場合のみ、本発明の動作を行うようにしてもよい。
【０１３１】
具体的には、グループ通話サーバ４００が、ステップＳ１０３で受信した要求側の移動局１００ｄの識別子及び被要求側の移動局１００ａの識別子と、記憶部４１０のグループメンバーリストとに基づいて、ステップＳ１０４で要求側の移動局１００ｄが被要求側に移動局１００ａが参加するグループ通話のグループメンバーに含まれるか否かを判断する。そして、要求側の移動局１００ｄが被要求側に移動局１００ａが参加するグループ通話のグループメンバーに含まれる場合のみ本発明の動作を行う。
【０１３２】
なお、要求側の移動局１００ｄがグループメンバーに含まれない場合、グループ通話サーバ４００は、通話中メッセージ（ＢＵＳＹ）のメッセージ・ボディに参加メンバーリスト（ｐａｒｔｙ＿ｌｉｓｔ）を付与しない。
【０１３３】
次に、図８を参照し、要求側の移動局１００として移動局１００ｅがグループ通話への途中参加を要求するが、被要求側の移動局１００である移動局１００ａにグループ通話への途中参加を拒否される動作について説明する。
【０１３４】
なお、図８のステップＳ２０１〜Ｓ２０９については、図７のステップＳ１０１〜Ｓ１０９と同様であるため、説明を省略する。
【０１３５】
ステップＳ２１０で表示した図６（ａ）に示す表示画面において、移動局１００ａのユーザが「いいえ」を選択する操作を移動局１００ａが受け付けた場合、ステップＳ２１１において、移動局１００ａは、移動局１００ｅのグループ通話への途中参加を拒否する途中参加拒否メッセージ（ＩＮＦＯ）をグループ通話サーバ４００に送信する。
【０１３６】
ステップＳ２１２において、グループ通話サーバ４００は、ステップＳ２１１の途中参加拒否メッセージ（ＩＮＦＯ）を受信すると、応答メッセージ（２００  ＯＫ）を移動局１００ａに送信する。
【０１３７】
ステップＳ２１３において、グループ通話サーバ４００は、移動局１００ａから受信した途中参加拒否メッセージ（ＩＮＦＯ）に応じて、途中参加要求を拒否し取り消したことを示す情報（Ｃａｎｃｅｌ）を途中参加拒否メッセージ（ＢＵＳＹ）のメッセージ・ボディに付与して移動局１００ｅに送信する。
【０１３８】
（２）パターン２
図９を参照し、途中参加要求に基づいて、グループ通話の通話データの送信権が被要求側の移動局１００（例えば、移動局１００ａ）に割り当てられる動作について説明する。
【０１３９】
図９に示すように、ステップＳ３０１において、移動局１００ａ〜１００ｃとが参加しているグループ通話が行われている。ここで、通話データの送信権は、移動局１００ｃに割り当てられているものとする。なお、ステップＳ３０２〜３０７については、図７のステップＳ１０２〜Ｓ１０７と同様のため説明を省略する。  ステップＳ３０８、Ｓ３１０、Ｓ３１２において、移動局１００ｅからの途中参加要求を示す呼設定メッセージ(ＩＮＶＩＴＥ)を受信したグループ通話サーバ４００は、移動局１００（１００ａ、１００ｂ、１００ｃ）に対して送信権変更メッセージ（ＩＮＦＯ）を送信することで被要求側の移動局１００ａに通話データの送信権を割り当てる。例えば、この送信権変更メッセージ（ＩＮＦＯ）のメッセージ・ボディに送信権を割り当てる移動局１００ａの識別子が付与されることによって、移動局１００ａに送信権が割り当てられる。
【０１４０】
なお、送信権が割り当てられていた移動局１００ｃは、送信権変更メッセージを受信することにより、送信権が強制的に解放されることになる。
【０１４１】
ステップＳ３０９、Ｓ３１１、Ｓ３１３において、各移動局１００（１００ａ、１００ｂ、１００ｃ）は、ステップＳ３０８、Ｓ３１０、Ｓ３１２の送信権変更メッセージの受信に応じて、応答メッセージ（２００  ＯＫ）をグループ通話サーバ４００に送信する。
【０１４２】
そして、ステップＳ３１４において、グループ通話サーバ４００は、送信権が割り当てられた移動局１００ａに対して途中参加要求（ＩＮＦＯ）を送信する。
【０１４３】
なお、ステップＳ３１４以降は、図７のステップＳ１０９〜Ｓ１２５と同様であるため説明を省略する。
【０１４４】
次に、図１０を参照し、要求側の移動局１００（例えば、移動局１００ｅ）がグループ通話への途中参加を要求するが、被要求側の移動局１００（例えば、移動局１００ａ）にグループ通話への途中参加を拒否される動作について説明する。
【０１４５】
なお、図１０のステップＳ４０１〜Ｓ４１５については、図９のステップＳ３０１〜Ｓ３１５と同様であるため、説明を省略する。
【０１４６】
ステップＳ４１６で表示した図６（ａ）に示す表示画面において、移動局１００ａのユーザが「いいえ」を選択する操作を移動局１００ａが受け付けた場合、ステップＳ４１７において、移動局１００ａは、移動局１００ｅのグループ通話に途中参加を拒否する途中参加拒否メッセージ（ＩＮＦＯ）をグループ通話サーバ４００に送信する。
【０１４７】
ステップＳ４１８において、グループ通話サーバ４００は、ステップＳ４１７の途中参加拒否メッセージ（ＩＮＦＯ）を受信すると、応答メッセージ（２００  ＯＫ）を移動局１００ａに送信する。
【０１４８】
ステップＳ４１９において、グループ通話サーバ４００は、移動局１００ａから受信した途中参加拒否メッセージ（ＩＮＦＯ）に応じて、途中参加要求を拒否し取り消したことを示す情報（Ｃａｎｃｅｌ）を途中参加拒否メッセージ（ＢＵＳＹ）のメッセージ・ボディに付与して移動局１００ｅに送信する。
【０１４９】
（本実施形態に係る通信システム及び通信方法の作用・効果）
本実施形態に係る通信システム及び通信方法によれば、要求側の移動局１００からの途中参加要求に応じて表示される移動局情報に基づいて、途中参加を認める指示をユーザが行った場合に、被要求側の移動局１００は、要求側の移動局１００をグループ通話に途中参加させる呼び出しメッセージを送信する。したがって、グループ通話に参加していない要求側の移動局１００がグループ通話への途中参加を要求することができる。また、グループ通話に参加している被要求側の移動局１００のユーザもそのときの状況により、要求側の移動局１００をグループ通話に途中参加させることができる。
【０１５０】
本実施形態に係る通信システム及び通信方法によれば、要求側の移動局１００からの途中参加要求に応じて、要求側の移動局１００を示す移動局情報を受信する際に送信権を取得する。したがって、被要求側の移動局１００のユーザは、グループ通話に参加している移動局１００のユーザと、要求側の移動局１００に途中参加を認めるか否かを直ちに相談することができるため、迅速に途中参加を認めるか否かの判断を行うことができる。
【０１５１】
本実施形態に係る通信システム及び通信方法によれば、要求側の移動局１００がグループ通話のグループメンバーである場合のみ、要求側の移動局１００を示す移動局情報を表示部に表示することも可能である。この場合、被要求側の移動局１００のユーザが、グループメンバー外の意図しない移動局１００からの途中参加の要求に応じて、途中参加を認めるか否かの判断を行う手間を軽減することができる。
【０１５２】
（変更例）
本発明は、上記実施形態に限定されるものではなく、種々の変更が可能である。
【０１５３】
例えば、要求側の移動局１００は、回線交換ＮＷ３００ｂを介して被要求側に移動局１００に発呼した結果に基づいて、自動的に本発明のように、パケット交換ＮＷ３００ａを介して被要求側に移動局１００に発呼するように構成されてもよい。
【０１５４】
具体的には、回線交換ＮＷ３００ｂを介した発呼に応じて、要求側の移動局１００が被要求側の移動局１００が通話中であることを示すトーンやメッセージを受信した場合、要求側の移動局１００は、自動的にパケット交換ＮＷ３００ａを介して被要求側の移動局１００宛の呼設定メッセージ（ＩＮＶＩＴＥ）を送信するように構成される。上述のように、かかる呼設定メッセージ（ＩＮＶＩＴＥ）により、要求側の移動局１００は、被要求側の移動局１００がグループ通話に参加していることを確認可能となる。
【０１５５】
このような変更例によれば、要求側の移動局１００が、回線交換ＮＷ３００ｂを介して被要求側の移動局１００に対して発呼した場合に、被要求側の移動局１００がグループ通話に参加していれば、グループ通話に途中参加することにより、被要求側の移動局１００に対して連絡することができる。
【０１５６】
（その他の実施形態）
なお、本実施形態では、通信プロトコルとしてＳＩＰを用いる場合について説明したが、本発明は、かかる場合に限定されることはなく、第実施形態の動作を実現することができる他の通信プロトコルがあれば、当該他の通信プロトコルを用いた場合にも適用可能である。
【０１５７】
例えば、上述の実施形態では、被要求側の移動局１００がグループ通話に参加しているか否かをグループ通話サーバ４００に確認する際に要求側の移動局１００によって送信される呼設定メッセージとして、ＳＩＰのＩＮＶＩＴＥメッセージを用いて説明した。しかしながら、これら実施例のメッセージに限定されるものではない。
【０１５８】
なお、上述の実施形態では、被要求側の移動局１００が参加しているグループ通話への途中参加を要求する途中参加要求は、ＳＩＰのＩＮＶＩＴＥメッセージとしてグループ通話サーバ４００を介して要求側の移動局１００から被要求側の移動局１００に送信されるものとして説明したが、例えば、回線交換ＮＷ３００ｂに接続されたＳＭＳサーバ５００を介してショートメッセージとして要求側の移動局１００から被要求側の移動局１００に送信されてもよい。
【０１５９】
以上、本発明の一例を説明したが、具体例を例示したに過ぎず、特に本発明を限定するものではなく、各部の具体的構成等は、適宜設計変更可能である。また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１６０】
【図１】本発明の実施形態に係る通信システムの全体概略構成図である。
【図２】本発明の実施形態に係るグループ通話サーバのブロック構成図である。
【図３】本発明の実施形態に係るグループ通話サーバの記憶部の一例を示す図である。
【図４】本発明の実施形態に係る移動局１００の概略ハードウェア構成図である。
【図５】本発明の実施形態に係る移動局１００のＣＰＵの論理ブロック構成図である。
【図６】本発明の実施形態に係る移動局１００の表示画面を示す図ある。
【図７】本発明の実施形態に係る通信システムにおいて、要求側の移動局（移動局１００ｅ）がグループ通話に途中参加する動作を示すシーケンス図（パターン１）である。
【図８】本発明の実施形態に係る通信システムにおいて、要求側の移動局（移動局１００ｅ）がグループ通話に途中参加を拒否される動作を示すシーケンス図（パターン１）である。
【図９】本発明の実施形態に係る通信システムにおいて、要求側の移動局（移動局１００ｅ）がグループ通話に途中参加する動作を示すシーケンス図（パターン２）である。
【図１０】本発明の実施形態に係る通信システムにおいて、要求側の移動局（移動局１００ｅ）がグループ通話への途中参加を拒否される動作を示すシーケンス図（パターン２）である。
【符号の説明】
【０１６１】
１００ａ〜１００ｅ…移動局、１０１…アンテナ、１０２…パワーアンプ、１０３…ＲＦ／ＩＦ変換器、１０４…ベースバンドプロセッサ、１０５…コーデック部、１０５ａ…音声コーデック部、１０５ｂ…映像コーデック部、１０６…音声入出力部、１０６ａ…マイク、１０６ｂ…スピーカ、１０７…映像入出力部、１０７ｂ…表示部、１０８…メモリ、１０９…操作部、１１０…ＣＰＵ、１１０−１…ＣＰＵ（被要求側の移動局１００）、１１１１…途中参加要求取得部、１１１２…送信権取得部、１１１３…グループ通話処理部、１１１４…呼び出し処理部、１１０−２…ＣＰＵ（要求側の移動局１００）、２１１１…呼設定メッセージ処理部、２１１２…途中参加要求処理部、２１１３…呼び出し処理部、２００ａ、２００ｂ…基地局、３００ａ…パケット交換ＮＷ、３００ｂ…回線交換ＮＷ、４００…グループ通話サーバ、４１０…記憶部、４２０…通信部、４３０…制御部、４３１…登録処理部、４３２…判定部、４３３…途中参加処理部、４３４…送信権割り当て部
【図１】
2008011172.tif 000003
【図２】
2008011172.tif 000004
【図３】
2008011172.tif 000005
【図４】
2008011172.tif 000006
【図５】
2008011172.tif 000007
【図６】
2008011172.tif 000008
【図７】
2008011172.tif 000009
【図８】
2008011172.tif 000010
【図９】
2008011172.tif 000011
【図１０】
2008011172.tif 000012